(57)【特許請求の範囲】
【請求項１】
情報系列を並列連接畳み込み符号化して通信するデジタル通信方式に用いる受信機であって、
それぞれ異なる複数の拡散符号を用いて逆拡散を行うための逆拡散手段と、各拡散符号間の相互相関値を生成するための相互相関値生成手段と、
送信機側で拡散前に行った逆インターリーバに対応するインターリーブ処理を行うためのインターリーバと、
逆拡散およびインターリーブ処理を行った受信信号を入力してターボ復号処理を行うためのターボ復号手段とを備え、
前記ターボ復号手段では、前記相互相関値生成手段により得られた拡散符号間の相互相関を用いて復号処理を行うことする並列連接畳み込み符号化を用いた受信機。
【請求項２】
情報系列を並列連接畳み込み符号化して通信するデジタル通信システムであって、
符号系列の組織部と、第１および第２の符号器を含む少なくとも２以上の符号器によりそれぞれ生成されるパリティ部に対して、それぞれ異なる拡散符号系列を用いてマルチコード伝送を行い、前記第１の符号器により生成されるパリティ部以外のパリティ部に対して、前記組織部の系列と時間的な関連を持たせる並び替えを行うための逆インターリーバをそれぞれ備えた送信機と、
それぞれ異なる複数の拡散符号を用いて逆拡散を行うための逆拡散手段と、各拡散符号間の相互相関値を生成するための相互相関値生成手段と、送信機側で拡散前に行った逆インターリーバに対応するインターリーブ処理を行うためのインターリーバと、逆拡散およびインターリーブ処理を行った受信信号を入力してターボ復号処理を行うためのターボ復号手段を備えた受信機とを用いて、前記送信機では、送信に際して、前記逆インターリーバによる並び替えを行った後に、スペクトル拡散変調を行い、
前記受信機では、受信に際して、前記ターボ復号手段において、前記相互相関値生成手段により得られた拡散符号間の相互相関を用いて復号処理を行うことを特徴とする並列連接畳み込み符号化を用いたデジタル通信システム。
【請求項３】
情報系列を並列連接畳み込み符号化して通信するデジタル通信方式に用いる受信機であって、
それぞれ異なる複数の拡散符号を用いて逆拡散を行うための逆拡散手段と、パリティ部に対応する前記逆拡散手段の出力を第１パリティ部と第２パリティ部に分離するための手段と、
拡散符号間の相互相関値に基づいて、組織部と前記第１パリティ部、および組織部と前記第２パリティ部の間の干渉量を生成するための干渉量生成手段と、
送信機側で拡散前に行った逆インターリーバに対応するインターリーブ処理を行うためのインターリーバと、
逆拡散およびインターリーブ処理を行った受信信号を入力してターボ復号処理を行うためのターボ復号手段とを備え、
前記ターボ復号手段では、前記干渉量生成手段により得られた干渉量を用いて復号処理を行うことを特徴とする並列連接畳み込み符号化を用いた受信機。
【請求項４】
情報系列を並列連接畳み込み符号化して通信するデジタル通信システムであって、
符号系列を、組織部と、第１の符号器により生成される第１パリティ部と、第２の符号器により生成される第２パリティ部とに分離し、前記第２パリティ部に対して組織部の系列と時間的な関連を持たせる並び替えを行うための逆インターリーバを備えるとともに、
該逆インターリーバによる並び替えを行った後の前記第２パリティ部と、並び替えを行っていない前記第１パリティ部とにおけるそれぞれ１ビットずつを用いてＱＰＳＫ信号点上にマッピングを行うためのパリティ部マッピング手段と、前記組織部の符号系列をＢＳＰＫ信号点上の信号として複素数値の拡散符号を用いて複素平面上に拡散するための第１の複素拡散手段と、前記ＱＰＳＫ信号点上にマッピングされたパリティ部の信号を、組織部の系列とは異なる複素数値または実数値の拡散符号を用いて複素平面上に拡散するための第２の複素拡散手段２とを備えた送信機と、
それぞれ異なる複数の拡散符号を用いて逆拡散を行うための逆拡散手段と、パリティ部に対応する前記逆拡散手段の出力を第１パリティ部と第２パリティ部に分離するための手段と、拡散符号間の相互相関値に基づいて、組織部と前記第１パリティ部、および組織部と前記第２パリティ部の間の干渉量を生成するための干渉量生成手段と、送信機側で拡散前に行った逆インターリーバに対応するインターリーブ処理を行うためのインターリーバと、逆拡散およびインターリーブ処理を行った受信信号を入力してターボ復号処理を行うためのターボ復号手段とを備えた受信機とを用いて、
前記受信機では、受信に際して、前記第１の複素拡散手段および前記第２の複素拡散手段において拡散変調された各信号を合成し、
前記受信機では、送信に際して、前記ターボ復号手段において、前記干渉量生成手段により得られた干渉量を用いて復号処理を行うことを特徴とする並列連接畳み込み符号化を用いたデジタル通信システム。
【発明の詳細な説明】
【０００１】
【発明の属する技術分野】
本発明は、誤り訂正技術を用いるデジタル通信の分野において用いる送信機、受信機およびデジタル通信システムに関し、特に、並列連接畳み込み符号化を用いた送信機、受信機およびデジタル通信システムに関する。
【０００２】
【従来の技術】
近年、インターネットやデジタル携帯電話など、デジタル通信に関する産業が急速な発展を遂げている。このような技術分野では、重要な情報の通信を行う際に、高速かつ高品質に通信を行うための基礎的な研究が盛んに行なわれている。特に、誤り訂正技術は、デジタル移動通信のような不安定な通信路において、高品質な通信を行うためには不可欠な技術である。
また、誤り訂正技術において、ターボ符号は、より少ないエネルギーで高品質なデータ通信を行うことを可能にする優れた誤り訂正符号であり、近年広く注目を集めている。
【０００３】
以下、このターボ符号について説明する。
並列連接畳み込み符号、いわゆるターボ符号は、２つ（あるいはそれ以上）の組織畳み込み符号を組み合わせて構成される（C.Berrou他、"Near Shnannon limit error-correcting coding:Turbo codes"，Procedings of ICC93または"Near  Optimum error-correcting coding:Turbo codes"IEEE Transactions on Communications，Vol.44,no.10,1996）。
【０００４】
ターボ符号の復号過程においては、これらの２つの組織畳み込み符号の復号を順次繰り返して行うことにより、誤りを減らしていくという特徴がある。ここでは、ターボ符号器と復号器の構成と復号方法について簡単に説明する。詳しくは、井坂他、「Shannon限界への道標:"pralle1 concated（Turbo）coding","Turbo（iterative）decoding"とその周辺」、電子情報通信学会技報IT98-51や、J．Hagenauer、"Iterative Decoding of Binary Block and Convolutional Codes"，IEEE Transactions on Information Theory,Vol.42,N0.2，1996．等に記載されている。
【０００５】
図６にターボ符号の符号器のブロック図を示し、図７にターボ符号の復号器のブロック図を示す。
ターボ符号の符号器は、図６（ａ）に示すように、第１および第２の再帰的組織畳み込み符号器５１，５２（ＲＳＣＣ１，２）が並列に配置され、その間にインターリーバ５３が配置されている。このターボ符号器では、元の情報ビット系列ｉをインターリーブして得られる系列が、第２の符号器５２に入力される。
【０００６】
再帰的組織畳み込み符号器５１，５２は、図６（ｂ）に示すように、シフトレジスタ５４，５５と加算器（排他的論理和）５６，５７とからなる。この符号器５１，５２で生成されるパリティｐにおける多項式Ｇ（Ｄ）は、
Ｇ（Ｄ）=[１（Ｄ2＋１）／（Ｄ2＋Ｄ＋１）]
となる。
再帰的組織畳み込み符号器５１，５２の符号化率が１／２であると仮定すると、元の情報ビットｉに対して、それぞれの符号器から得られたパリティｐを付加して、符号化率１／３のターボ符号が得られる。
【０００７】
ターボ符号の復号器は、図７に示すように、第１および第２の復号器６１，６２が直列に配置され、その間にインターリーバ６３と逆インターリーバ６４が配置されている。このターボ符号の復号器の機能を簡単に述べると、受信系列を第１の復号器６１で第１の組織畳み込み符号の復号を行った後に、復号結果と信頼度情報を出力する。第２の復号器６２は、第１の復号器６１からの信頼度情報と受信系列を用いて第２の組織畳み込み符号の復号を行う。さらに、この結果を用いて、第１の復号器６１が、第１の組織畳み込み符号の復号を再度行う。このように繰返し復号を行うことにより徐々に復号シンボルの信頼度が上昇し、誤りが減ってくる。
インターリーバ６３は、第２の符号器５２での処理順に合わせて第２の復号器６２で処理を行うためである。また、逆インターリーバ６４は、第２の復号器６２を出力した信頼度情報に対してインターリーバ６３の並び替えを元に戻して第１の復号器に入力するためである。
【０００８】
ターボ符号の途中で行なわれる組織畳み込み符号の復号では、次段の復号に用いるために軟判定情報を付加した復号結果が必要になる。ＲＳＣＣ１に対応する復号器６１は受信シンボルに対して、ＳＮＲに比例した重みづけを行ったもの（Ｌcｙ）と外部情報とを入力信号とし、対数尤度比付きの復号結果Ｌ（ｕ）と次の復号器に渡す外部尤度情報Ｌｅ(1)（ｕ）とを出力する。
【０００９】
軟判定結果を得るための復号方法としては、いくつかの方法があるが、ここではＭＡＰ復号について説明する。
ＭＡＰ（Maximum A Posteriori Probability：最大事後確率）復号は、受信信号系列ｙが与えられた条件下で、各情報シンボルｕkに関して、Ｐ（ｕk）を最大とするｕkを復号結果として求めるものである。
そのために、以下の式に基づいて、ＬＬＲ（Log Likelihood Ratio：対数尤度比）Ｌ（ｕk）を求める。
【００１０】
【数１】
0003648164.tif 000002
【００１１】
αk-1（ｓk-1）＝ｐ（ｓk-1，ｙj<k）は、ｋ−１の時点での状態がｓk-1である確率を、初期状態から再帰的に求めたものであり、βk（ｓk）＝ｐ（ｙj>k｜ｓk）は、同じくｋの時点での状態がｓkである確率を、終了状態から求めたものである。
また、γk（ｓk-1，ｓk）は、ｋ−１時点での状態ｓk-1からｋ時点の常態ｓkへ遷移する確率で、
【数２】
0003648164.tif 000003
となる。
【００１２】
これは、
【数３】
0003648164.tif 000004
で求めることができる。
【００１３】
また、αk（ｓk）およびβk（ｓk）は、
【数４】
0003648164.tif 000005
【数５】
0003648164.tif 000006
によりそれぞれ再帰的に求めることができる。
【００１４】
これらを用いて、Ｌ（ｕk）は、
【数６】
0003648164.tif 000007
で求めることができる。
【００１５】
ここで、分子のΣ（ｓ＋）は、ｕk＝１となる場合の総和を示し、分母のΣ（ｓ−）は、ｕk＝−１となる場合の総和を示す。
さらに、次の組織畳み込み符号復号器に送られる外部尤度情報Ｌe（ｕk）はこの復号結果Ｌ（ｕk）から重み付けされた受信信号Ｌcｙ3kおよび、この復号器に入力された外部尤度情報Ｌe（ｕk）を引いて得られる。
【００１６】
【発明が解決しようとする課題】
誤り訂正符号は、情報系列を符号化して冗長ビットを付加することにより訂正能力を得るため、冗長ビットの付加により広い伝送帯域が必要となる。一般的には、冗長度の大きい（符号化率の小さい）符号化は伝送速度の低下を招くが、スペクトル拡散による符号分割多元接続(ＣＤＭＡ)との組合わせではもともと広帯域の信号を用いているので、帯域拡散に対してあまり考慮する必要がなかった。
【００１７】
しかしながら、誤り訂正技術や干渉除去技術、あるいはアダプティブアレーアンテナなどの空間信号処理の進歩に伴って、特定区域内に収容可能な符号の数が増加してくると、互いに相関特性の良い拡散符号の組み合わせが限られてくる。すなわち、ある特定数以上のユーザを収納するには、相互相関がある程度大きな組み合わせを用いざるをえない状況がある。
【００１８】
本発明は、上述した事情に鑑み提案されたもので、特定のユーザに対して相互相関のある複数の符号を用いて多重化して送受信する方法を用い、これらの符号間における相互相関値を用いて復号処理を行うことにより、干渉による劣化を低減することが可能な並列連接畳み込み符号化を用いた送信機、受信機およびデジタル通信システムを提供することを目的とする。
【００１９】
【課題を解決するための手段】
上述した目的を達成するため、本発明の並列連接畳み込み符号化を用いた受信機は、情報系列を並列連接畳み込み符号化して通信するデジタル通信方式に用いる受信機であって、
それぞれ異なる複数の拡散符号を用いて逆拡散を行うための逆拡散手段と、各拡散符号間の相互相関値を生成するための相互相関値生成手段と、送信機側で拡散前に行った逆インターリーバに対応するインターリーブ処理を行うためのインターリーバと、逆拡散およびインターリーブ処理を行った受信信号を入力してターボ復号処理を行うためのターボ復号手段とを備え、
前記ターボ復号手段では、前記相互相関値生成手段により得られた拡散符号間の相互相関を用いて復号処理を行うことを特徴とするものである。
【００２２】
ここで、相互相関値生成手段は、各拡散符号間の相互相関値を計算で求めたり、あるいは予め計算された相互相関値を記憶しておくものである。
【００２３】
本発明の並列連接畳み込み符号化を用いたデジタル通信システムは、前記送信機および前記受信機を用いて、前記受信機では、受信に際して、前記ターボ復号手段において、前記相互相関値生成手段により得られた拡散符号間の相互相関を用いて復号処理を行うことをものである。
【００２５】
また、本発明の並列連接畳み込み符号化を用いた受信機は、情報系列を並列連接畳み込み符号化して通信するデジタル通信方式に用いる受信機であって、それぞれ異なる複数の拡散符号を用いて逆拡散を行うための逆拡散手段と、パリティ部に対応する前記逆拡散手段の出力を第１パリティ部と第２パリティ部に分離するための手段と、拡散符号間の相互相関値に基づいて、組織部と前記第１パリティ部、および組織部と前記第２パリティ部の間の干渉量を生成するための干渉量生成手段と、送信機側で拡散前に行った逆インターリーバに対応するインターリーブ処理を行うためのインターリーバと、逆拡散およびインターリーブ処理を行った受信信号を入力してターボ復号処理を行うためのターボ復号手段とを備え、
前記ターボ復号手段では、前記干渉量生成手段により得られた干渉量を用いて復号処理を行うことを特徴とするものである。
【００２６】
ここで、干渉量生成手段は、前記拡散符号間の干渉量を計算で求めたり、あるいは予め計算された干渉量を記憶しておくものである。
【００２７】
また、本発明の並列連接畳み込み符号化を用いたデジタル通信システムは、前記送信機および前記受信機を用いて、前記受信機では、受信に際して、前記第１の複素拡散手段および前記第２の複素拡散手段において拡散変調された各信号を合成し、前記受信機では、送信に際して、前記ターボ復号手段において、前記干渉量生成手段により得られた干渉量を用いて復号処理を行うことを特徴とするものである。
【００２８】
【発明の実施の形態】
以下、本発明の並列連接畳み込み符号化を用いた送信機、受信機およびデジタル通信システムを、図面に示す具体的な実施例に基づいて説明する。
【００２９】
＜実施例１：送信機＞
図１は、本発明の並列連接畳み込み符号化を用いた送信機の具体的な実施例１を示すブロック図である。
実施例１の送信機は、図１に示すように、ターボ符号器４と、逆インターリーバ５と、乗算器６，７，８，１０と、加算器９と、無線搬送波発生器１１とからなる。ターボ符号器４は、再帰的組織畳み込み符号器（ＲＳＣＣ）１，２と、インターリーバ３とからなる。再帰的組織畳み込み符号器は、１を第１の符号器、２を第２の符号器とする。
【００３０】
この送信機１は、ターボ符号器４の出力のうち、入力データと同じ部分を組織部（ｉ）、第１の符号器１（ＲＳＣＣ１）で付加されるパリティ（ｐ）を第１パリティ部、第２の符号器２（ＲＳＣＣ２）で付加されるパリティ（ｐ）を第２パリティ部とする。なお、入力データの情報ビット系列をインターリーバ３によりインターリーブして得られる系列が、第２の符号器２（ＲＳＣＣ２）に入力される。
【００３１】
第２の符号器２で符号化された第２パリティ部は、逆インターリーバ５を通過することにより並び替えが行われる。そして、組織部、第１パリティ部および第２パリティ部は、乗算器６，７，８において、それぞれ異なる拡散符号系列であるＰＮ１，ＰＮ２，ＰＮ３との積をとって拡散変調され、加算器９により合成され、さらに乗算器１０において、無線搬送波発生器１１からの搬送波が乗算されて、キャリア変調がなされて送信される。
【００３２】
なお、ターボ符号器４は、上述した従来のターボ符号器（図５参照）と同様の構成であってもよい。また、さらに、第３パリティ部、第４パリティ部を含んで構成することも可能である。
【００３３】
＜実施例１：受信機＞
図２は、本発明の並列連接畳み込み符号化を用いた受信機の具体的な実施例１を示すブロック図である。
実施例１の受信機は、乗算器１２，１５，１６，１７と、無線搬送波発生器１３と、ローパスフィルタ（ＬＰＦ）１４と、逆拡散部１８，１９，２０と、ターボ復号器３０とからなる。ターボ復号器３０は、第１の復号器３１と、第２の復号器３２と、インターリーバ３３と、逆インターリーバ３４，３５，３６とからなる。
【００３４】
この受信機は、乗算器１２において、受信信号に対して無線搬送波発生器１３からの搬送波を乗算してキャリア変調し、ローパスフィルタ（ＬＰＦ）１４を通過させた後、逆拡散部１１８，１１９，１２０で逆拡散する。逆拡散部１１８，１１９，１２０は、乗算器１５，１６，１７において、受信信号にそれぞれの拡散符号ＰＮ１，ＰＮ２，ＰＮ３を乗算して、積分ダンプフィルタ１８，１９，２０を通過させることにより逆拡散させる。この際、それぞれの信号には、相互相関の大きさによって干渉成分が残る。
【００３５】
逆拡散された信号は、それぞれ組織部、第１パリティ部、第２パリティ部としてターボ復号器３０に送られる。ここで、組織部の送信系列をＸ（ｎ）、第１パリティ部の送信系列をＹ1（ｎ）、第２パリティ部の送信系列をＹ2（ｎ）とし、ＰＮ１，ＰＮ２，ＰＮ３のそれぞれで逆拡散した受信シンボルを、それぞｒ1（ｎ），ｒ2（ｎ），ｒ3（ｎ）とすると、
ｒ1（ｎ）＝Ｘ（ｎ）＋θ1,2（ｎ）Ｙ1（ｎ）＋θ1,3（ｎ）Ｙ2（ｎ）＋Ｎ1（ｎ）
ｒ2（ｎ）＝θ1,2（ｎ）Ｘ（ｎ）＋Ｙ1（ｎ）＋Ｎ2（ｎ）
ｒ3（ｎ）＝θ1,3（ｎ）Ｘ（ｎ）＋Ｙ2（ｎ）＋Ｎ3（ｎ）
となる。
【００３６】
ここで、Ｎ1，Ｎ2，Ｎ3は、雑音成分である。また、ここでは、ＰＮ２とＰＮ３は、互いに直交する系列としている。例えば、ＰＮ１を生成多項式１＋ｘ7＋ｘ18で生成されるｍ系列、ＰＮ２を生成多項式１＋ｘ5＋ｘ7＋ｘ10＋ｘ18で生成されるｍ系列とするとき、ＰＮ３をＰＮ２に対して1，−１，１，−１，…を乗じて得られる系列とすると、ＰＮ２とＰＮ３は２の巾乗の拡散率において直交する。
【００３７】
ここでは、相互相関値θ1,2（ｎ）およびθ1,3（ｎ）を用いて、遷移確率を求めるために、上記式(3)を次式のように変形する。
【数７】
0003648164.tif 000008
ただし、θとして、ＲＳＣＣ１の復号の際はθ1,2を用い、ＲＳＣＣ２の復号の際はθ1,3を用いる。
【００３８】
ｒ1（ｎ）は第１の復号器３１と逆インターリーバ３５に入力され、ｒ2（ｎ）は第１の復号器３１に入力され、ｒ3（ｎ）は逆インターリーバ３６に入力される。第１の復号器３１は、ｒ1（ｎ）、ｒ2（ｎ）及び相互相関値から、外部尤度情報Ｌｅ(1)（ｕ）と復号結果Ｌ（ｕ）を出力する。ここで、相互相関値は、ｒ1（ｎ）とｒ2（ｎ）との相互相関を取ったもので、図示していない相互相関生成部により求められたものである。
外部尤度情報Ｌｅ(1)（ｕ）はインターリーブ３３により並べ替えられて第２の復号器に入力される。第２の復号器３２は、外部尤度情報Ｌｅ(1)（ｕ）、及び逆インターリーブされたｒ1（ｎ）とｒ3（ｎ）により、外部尤度情報Ｌｅ(2)（ｕ）と復号結果Ｌ（ｕ）を出力する。
外部尤度情報Ｌｅ(2)（ｕ）は、逆インターリーバ３４により逆インターリーブされて再び第１の復号器３１に入力される。
【００３９】
ここでは、ＰＮ２とＰＮ３が直交するように拡散符号を生成したが、これは必ずしも必要条件ではなく、ＰＮ１，ＰＮ２，ＰＮ３に対して、それぞれが異なるランダムな系列であってもかまわない。
【００４０】
＜実施例２：送信機＞
第１パリティ部と第２パリティ部を直交させる方法としては、ＱＰＳＫ変調を用いて、それぞれをＩ層、Ｑ層に割り当てる方法を採用することもできる。この際、組織部は情報変調をＢＰＳＫとして、複素拡数系列を用いたＱＰＳＫ拡散変調を行うことによって、第１パリティ部と第２パリティ部に対して均等に相互相関が生じるようになる。
【００４１】
図３は、本発明の並列連接畳み込み符号化を用いた送信機の具体的な実施例２を示すブロック図である。なお、上述した実施例１の送信機と同様の機能を有する部分には、同一の符号を付して説明を行う。
実施例２の送信機は、図３に示すように、データ系列をターボ符号化して組織部、第１パリティ部、第２パリティ部に分離し、第２パリティ部を逆インターリーバ５に通すところまでは、上述した実施例１と同様である。
【００４２】
その後、組織部は、拡散変調部６において、複素拡散符号ＰＮ１で拡散変調され、第１パリティ部および第２パリティ部は、マッピング部２１において複素平面上にマッピングされた後、乗算器７において、異なる複素拡散符号ＰＮ２で拡散変調され、加算器９において組織部の信号と合成される。さらに、乗算器１０において、無線搬送波発生器１１からの無線搬送波が乗算されてキャリア変調がなされ、送信される。
【００４３】
＜実施例２：受信機＞
図４は、本発明の並列連接畳み込み符号化を用いた受信機の具体的な実施例１を示すブロック図である。なお、上述した実施例１の受信機と同様の機能を有する部分には、同一の符号を付して説明を行う。
【００４４】
実施例２の受信機は、図４に示すように、乗算器１２において、受信信号に対して無線搬送波発生器１３からの搬送波を乗算してキャリア変調し、ローパスフィルタ（ＬＰＦ）１４を通過させた後、逆拡散部１２２，１２３で逆拡散する。逆拡散部１２２，１２３は、乗算器１５，１６において、それぞれの拡散符号ＰＮ１，ＰＮ２を乗算して、積分ダンプフィルタ２２，２３を通過させることにより逆拡散させる。このように受信信号はそれぞれの拡散符号を用いて逆拡散される。
【００４５】
この際、組織部の成分は、ＰＮ１で逆拡散した後、実数抽出部２４により実数部として抽出する。また、第１パリティ部は、ＰＮ２で逆拡散した信号から実数抽出部２５により実数部として取り出す。また、第２パリティ部は、ＰＮ２で逆拡散した信号から虚数抽出部２６から虚数部成分として取り出す。
ここで、完全な同期検波を仮定すると、第１パリティ部と第２パリティ部の間には干渉成分は生じない。しかし、組織部との間には、それぞれ、ＰＮ１とＰＮ２の相互相関に対応して干渉が生じる。
【００４６】
ＰＮ１（ｕ＋ｊｖ）とし、ＰＮ２を（ｒ＋ｊｓ）で表すと、系列間の相互相関は以下のように求まる。ただし、ｊは、虚数単位（ｊ＝（−１）1/2）である。
（ｕ＋ｊｖ）（ｒ−ｊｓ）＝（ｕｒ＋ｖｓ）＋ｊ（ｖｒ−ｕｓ）
すなわち、組織部と第１パリティ部の間の干渉量は、ｕｒ＋ｖｓとなり、組織部と第２パリティ部の間の干渉量は、ｖｒ−ｕｓとなる。この値は図示しない干渉量生成部により求められる。
【００４７】
そして、逆拡散され、分離されたそれぞれの成分はターボ復号器３０に送られる。ここで得られた干渉量を、上述した実施例１における相互相関値の代りに用いて復号を行う。
ここで、ＰＮ２は、複素数値系列であるとしたが、これは実数値系列であってもかまわない。
【００４８】
＜誤り特性＞
次に、上述した実施例１の構成における誤り率特性を説明する。
なお、ターボ符号は、拘束長を「３」、ブロック長を「１０００」とする。また、繰返し復号の回数は、「６」とする。また、変調方式は、情報変調、拡散変調ともにＢＰＳＫで行い、拡散率は「４」、拡散符号は「２18−１」の周期のＭ系列をフレーム長でトランケートしている。また、通信路は、スタティックである。
【００４９】
図５に、誤り率特性の比較結果を示す。
比較対象は、実施例１の構成と同様な符号化と符号多重を行った信号に対して、従来のＭＡＰによる復号処理を行った場合の特性である。
図５から明らかなように、実施例１の構成によれば、従来の復号方式と比較して、より誤り率特性が改善することがわかる。
【００５０】
【発明の効果】
本発明の並列連接畳み込み符号化を用いた送信機、受信機およびデジタル通信システムは、上述した構成を備えているため、以下の効果を奏することができる。すなわち、本発明の並列連接畳み込み符号化を用いた送信機では、畳み込み符号化処理を行う第１の畳み込み符号器と、第２の畳み込み符号器とを、所定規則に基づいて入力データの並び替え操作を行うインターリーバを介して並列に接続した連接畳み込み符号器により、情報信号をターボ符号化した後に、第２の畳み込み符号器から得られる第２のパリティ系列を前記インターリーバの逆操作を行う逆インターリーバを用いて並び替えを行い、入力データと同一系列となる組織部、第１の畳み込み符号器から出力される第１のパリティ部、逆インターリーバから出力される第２のパリティ部をそれぞれ第１の拡散符号系列、第２の拡散符号系列、および第３の拡散符号系列で拡散処理し、多重化して送信する。
【００５１】
また、本発明の並列連接畳み込み符号化を用いた受信機では、前記それぞれの拡散符号系列を用いて逆拡散処理を行うことにより得られる、干渉成分を含む受信シンボルに対して、干渉成分の大きさを表す各拡散符号間の相互相関値を用いて繰り返し復号処理を行う。
【００５２】
また、本発明の並列連接畳み込み符号化を用いたデジタル通信システムは、前記送信機および前記受信機を用いてデジタル通信を行う。
したがって、干渉による誤りの発生を低減することができ、高速かつ高品質に通信を行うことが可能となる。
【図面の簡単な説明】
【図１】本発明の並列連接畳み込み符号化を用いた送信機の具体的な実施例１を示すブロック図である。
【図２】本発明の並列連接畳み込み符号化を用いた受信機の具体的な実施例１を示すブロック図である。
【図３】本発明の並列連接畳み込み符号化を用いた送信機の具体的な実施例２を示すブロック図である。
【図４】本発明の並列連接畳み込み符号化を用いた受信機の具体的な実施例２を示すブロック図である。
【図５】実施例１の送信機および受信機を用いた場合の誤り率特性の説明図である。
【図６】従来のターボ符号の符号器のブロック図である。
【図７】従来のターボ符号の復号器のブロック図である。
【符号の説明】
１  第１の符号器（ＲＳＣＣ１）
２  第２の符号器（ＲＳＣＣ２）
３  インターリーバ
４  ターボ符号器
５  逆インターリーバ
６，７，８  拡散変調部
９  合成部
１０，１２  キャリア変調部
１１，１３  無線搬送波発生器
１４  ローパスフィルタ（ＬＰＦ）
１５，１６，１７  逆拡散部
１８，２０  ターボ復号器
１９  マッピング部
５１  第１の符号器（ＲＳＣＣ１）
５２  第２の符号器（ＲＳＣＣ２）
５３  インターリーバ
６１  第１の符号器（ＲＳＣＣ１）
６２  第２の符号器（ＲＳＣＣ２）
６３  インターリーバ
６４  逆インターリーバ
【図１】
0003648164.tif 000009
【図２】
0003648164.tif 000010
【図３】
0003648164.tif 000011
【図４】
0003648164.tif 000012
【図５】
0003648164.tif 000013
【図６】
0003648164.tif 000014
【図７】
0003648164.tif 000015